(57)【要約】【課題】集塵性をそれほど損なうことなく、先端工具を集塵カバーからわずかに露出させた状態で作業を行うことが可能な技術を提供する。【解決手段】本明細書は電動工具を開示する。その電動工具は、モータと、前記モータに接続される動力伝達機構と、前記モータおよび前記動力伝達機構を収容するハウジングと、前記動力伝達機構に接続されており、先端工具を保持する先端工具保持部と、前記先端工具の周囲を覆う集塵カバーを備えていてもよい。前記集塵カバーは、前記ハウジングに対して固定されており、前記先端工具の一部を覆う硬質カバー部と、前記硬質カバー部に連結されており、前記先端工具の別の一部を覆う弾性カバー部を備えていてもよい。【選択図】図１
2019181618.tif 000002
【特許請求の範囲】
【請求項１】
モータと、
前記モータに接続される動力伝達機構と、
前記モータおよび前記動力伝達機構を収容するハウジングと、
前記動力伝達機構に接続されており、先端工具を保持する先端工具保持部と、
前記先端工具の周囲を覆う集塵カバーを備えており、
前記集塵カバーが、
前記ハウジングに対して固定されており、前記先端工具の一部を覆う硬質カバー部と、
前記硬質カバー部に連結されており、前記先端工具の別の一部を覆う弾性カバー部を備える、電動工具。
【請求項２】
前記弾性カバー部が前記硬質カバー部に対してヒンジ機構を介して連結されている、請求項１の電動工具。
【請求項３】
前記先端工具保持部が、前記ハウジングに対して回転軸周りに回転可能であって、
前記ヒンジ機構が、前記回転軸に対して略平行な回動軸周りに回動可能に、前記弾性カバー部を前記硬質カバー部に連結している、請求項２の電動工具。
【請求項４】
前記先端工具保持部が、前記ハウジングに対して回転軸周りに回転可能であって、
前記弾性カバー部が、前記回転軸に略直交する方向に沿った折り曲げ線に沿って、前記硬質カバー部に対して変形可能である、請求項１の電動工具。
【請求項５】
前記弾性カバー部および前記硬質カバー部の一方に、磁石が設けられており、
前記弾性カバー部および前記硬質カバー部の他方に、磁性体が設けられており、
前記弾性カバー部が、前記磁石と前記磁性体の間の磁気吸着力によって、前記先端工具の前記別の一部を覆う状態で保持されている、請求項１から４の何れか一項の電動工具。
【請求項６】
前記弾性カバー部が、変形前に前記集塵カバーの内側を向いていた面が、変形後に前記集塵カバーの外側を向くように変形可能である、請求項１から５の何れか一項の電動工具。
【請求項７】
前記弾性カバー部が、変形後に作用する弾性復元力によって変形後の形状が保持される形状まで変形可能である、請求項１から６の何れか一項の電動工具。
【請求項８】
前記弾性カバー部が、変形後の形状を保持するための芯線を備える、請求項１から７の何れか一項の電動工具。
【請求項９】
モータと、前記モータに接続される動力伝達機構と、前記モータおよび前記動力伝達機構を収容するハウジングと、前記動力伝達機構に接続されており、先端工具を保持する先端工具保持部を備える電動工具に、前記先端工具の周囲を覆うように取り付けられる集塵カバーであって、
前記ハウジングに対して固定されており、前記先端工具の一部を覆う硬質カバー部と、
前記硬質カバー部に連結されており、前記先端工具の別の一部を覆う弾性カバー部を備える、集塵カバー。
【請求項１０】
前記弾性カバー部が前記硬質カバー部に対してヒンジ機構を介して連結されている、請求項９の集塵カバー。
【請求項１１】
前記先端工具保持部が、前記ハウジングに対して回転軸周りに回転可能であって、
前記ヒンジ機構が、前記回転軸に対して略平行な回動軸周りに回動可能に、前記弾性カバー部を前記硬質カバー部に連結している、請求項１０の集塵カバー。
【請求項１２】
前記先端工具保持部が、前記ハウジングに対して回転軸周りに回転可能であって、
前記弾性カバー部が、前記回転軸に略直交する方向に沿った折り曲げ線に沿って、前記硬質カバー部に対して変形可能である、請求項９の集塵カバー。
【請求項１３】
前記弾性カバー部および前記硬質カバー部の一方に、磁石が設けられており、
前記弾性カバー部および前記硬質カバー部の他方に、磁性体が設けられており、
前記弾性カバー部が、前記磁石と前記磁性体の間の磁気吸着力によって、前記先端工具の前記別の一部を覆う状態で保持されている、請求項９から１２の何れか一項の集塵カバー。
【請求項１４】
前記弾性カバー部が、変形前に前記集塵カバーの内側を向いていた面が、変形後に前記集塵カバーの外側を向くように変形可能である、請求項９から１３の何れか一項の集塵カバー。
【請求項１５】
前記弾性カバー部が、変形後に作用する弾性復元力によって変形後の形状が保持される形状まで変形可能である、請求項９から１４の何れか一項の集塵カバー。
【請求項１６】
前記弾性カバー部が、変形後の形状を保持するための芯線を備える、請求項９から１５の何れか一項の集塵カバー。
【発明の詳細な説明】
【技術分野】
【０００１】
本明細書で開示する技術は、電動工具および集塵カバーに関する。
【背景技術】
【０００２】
特許文献１には、モータと、前記モータに接続される動力伝達機構と、前記モータおよび前記動力伝達機構を収容するハウジングと、前記動力伝達機構に接続されており、先端工具を保持する先端工具保持部と、前記先端工具の周囲を覆う集塵カバーを備える電動工具が開示されている。前記集塵カバーは、前記ハウジングに対して固定されており、前記先端工具の一部を覆う第１の硬質カバー部と、前記硬質カバー部に連結されており、前記先端工具の別の一部を覆う第２の硬質カバー部を備えている。前記第２の硬質カバー部は、前記第１の硬質カバー部に対してヒンジ機構を介して連結されている。
【先行技術文献】
【特許文献】
【０００３】
【特許文献１】実開昭６１−９２４７号公報
【発明の概要】
【発明が解決しようとする課題】
【０００４】
例えば先端工具やワークを視認するために、先端工具を集塵カバーからわずかに露出させた状態で、作業を行いたい場合がある。特許文献１の電動工具では、先端工具を集塵カバーから露出させた状態で作業を行うためには、第２の硬質カバー部を第１の硬質カバー部に対して完全に開く必要がある。第２の硬質カバー部を第１の硬質カバー部に対して完全に開いてしまうと、集塵カバーの集塵性を損なってしまう。本明細書では、集塵性をそれほど損なうことなく、先端工具を集塵カバーからわずかに露出させた状態で作業を行うことが可能な技術を提供する。
【課題を解決するための手段】
【０００５】
本明細書は電動工具を開示する。その電動工具は、モータと、前記モータに接続される動力伝達機構と、前記モータおよび前記動力伝達機構を収容するハウジングと、前記動力伝達機構に接続されており、先端工具を保持する先端工具保持部と、前記先端工具の周囲を覆う集塵カバーを備えていてもよい。前記集塵カバーは、前記ハウジングに対して固定されており、前記先端工具の一部を覆う硬質カバー部と、前記硬質カバー部に連結されており、前記先端工具の別の一部を覆う弾性カバー部を備えていてもよい。
【０００６】
本明細書は集塵カバーも開示する。その集塵カバーは、モータと、前記モータに接続される動力伝達機構と、前記モータおよび前記動力伝達機構を収容するハウジングと、前記動力伝達機構に接続されており、先端工具を保持する先端工具保持部を備える電動工具に、前記先端工具の周囲を覆うように取り付けられてもよい。前記集塵カバーは、前記ハウジングに対して固定されており、前記先端工具の一部を覆う硬質カバー部と、前記硬質カバー部に連結されており、前記先端工具の別の一部を覆う弾性カバー部を備えていてもよい。
【０００７】
上記の電動工具や、上記の集塵カバーによれば、弾性カバー部をわずかに弾性変形させることで、先端工具を集塵カバーからわずかに露出させた状態で、作業を行うことができる。集塵性をそれほど損なうことなく、先端工具を集塵カバーからわずかに露出させた状態で作業を行うことができる。
【図面の簡単な説明】
【０００８】
【図１】実施例１の集塵カバー２が取り付けられたグラインダ４を前方右方上方から見た斜視図である。
【図２】実施例１の集塵カバー２が取り付けられたグラインダ４の縦断面図である。
【図３】実施例１の集塵カバー２の、弾性カバー部６４を閉じた状態の斜視図である。
【図４】実施例１の集塵カバー２の、弾性カバー部６４を開いた状態の斜視図である。
【図５】実施例１の集塵カバー２の、弾性カバー部６４を完全に開いて、硬質カバー部６２の外形形状に倣うように変形させた状態の斜視図である。
【図６】実施例２の集塵カバー１０２の斜視図である。
【図７】実施例２の集塵カバー１０２の、弾性カバー部６４を捲り上げた状態の斜視図である。
【図８】実施例２の集塵カバー１０２の変形例の斜視図である。
【発明を実施するための形態】
【０００９】
１つまたはそれ以上の実施形態において、電動工具は、モータと、前記モータに接続される動力伝達機構と、前記モータおよび前記動力伝達機構を収容するハウジングと、前記動力伝達機構に接続されており、先端工具を保持する先端工具保持部と、前記先端工具の周囲を覆う集塵カバーを備えていてもよい。前記集塵カバーは、前記ハウジングに対して固定されており、前記先端工具の一部を覆う硬質カバー部と、前記硬質カバー部に連結されており、前記先端工具の別の一部を覆う弾性カバー部を備えていてもよい。
【００１０】
１つまたはそれ以上の実施形態において、集塵カバーは、モータと、前記モータに接続される動力伝達機構と、前記モータおよび前記動力伝達機構を収容するハウジングと、前記動力伝達機構に接続されており、先端工具を保持する先端工具保持部を備える電動工具に、前記先端工具の周囲を覆うように取り付けられてもよい。前記集塵カバーは、前記ハウジングに対して固定されており、前記先端工具の一部を覆う硬質カバー部と、前記硬質カバー部に連結されており、前記先端工具の別の一部を覆う弾性カバー部を備えていてもよい。
【００１１】
上記の電動工具や、上記の集塵カバーによれば、弾性カバー部をわずかに弾性変形させることで、先端工具を集塵カバーからわずかに露出させた状態で、作業を行うことができる。集塵性をそれほど損なうことなく、先端工具を集塵カバーからわずかに露出させた状態で作業を行うことができる。
【００１２】
１つまたはそれ以上の実施形態において、前記弾性カバー部は、前記硬質カバー部に対してヒンジ機構を介して連結されていてもよい。
【００１３】
上記の構成によれば、弾性カバー部を硬質カバー部に対して回動させることで、先端工具を集塵カバーから大きく露出させることもできるし、弾性カバー部を弾性変形させることで、先端工具を集塵カバーからわずかに露出させることもできる。また、上記の構成によれば、弾性カバー部を硬質カバー部に対して回動させて開いた状態において、弾性カバー部が壁面等の障害物に干渉する場合であっても、弾性カバー部が弾性変形するので、開いた弾性カバー部が作業の邪魔になることを防止することができる。
【００１４】
１つまたはそれ以上の実施形態において、前記先端工具保持部は、前記ハウジングに対して回転軸周りに回転可能であってもよい。前記ヒンジ機構は、前記回転軸に対して略平行な回動軸周りに回動可能に、前記弾性カバー部を前記硬質カバー部に連結していてもよい。
【００１５】
上記の構成によれば、弾性カバー部を硬質カバー部に対して回動させることで、先端工具を集塵カバーから大きく露出させることができる。また、上記の構成によれば、弾性カバー部を硬質カバー部に対して完全に開いた状態において、硬質カバー部の外形形状に倣うように弾性カバー部を弾性変形させることで、弾性カバー部を完全に開いた状態で保持することができる。
【００１６】
１つまたはそれ以上の実施形態において、前記先端工具保持部は、前記ハウジングに対して回転軸周りに回転可能であってもよい。前記弾性カバー部は、前記回転軸に略直交する方向に沿った折り曲げ線に沿って、前記硬質カバー部に対して変形可能であってもよい。
【００１７】
上記の構成によれば、弾性カバー部を捲り上げるように弾性変形させることで、先端工具を集塵カバーから露出させることができる。
【００１８】
１つまたはそれ以上の実施形態において、前記弾性カバー部および前記硬質カバー部の一方に、磁石が設けられていてもよい。前記弾性カバー部および前記硬質カバー部の他方に、磁性体が設けられていてもよい。前記弾性カバー部は、前記磁石と前記磁性体の間の磁気吸着力によって、前記先端工具の前記別の一部を覆う状態で保持されていてもよい。
【００１９】
上記の構成によれば、磁石と磁性体の間の磁気吸着力によって、弾性カバー部を、先端工具の別の一部を覆う状態で保持しておくことができる。先端工具が集塵カバーから不用意に露出してしまうことを防止することができる。
【００２０】
１つまたはそれ以上の実施形態において、前記弾性カバー部は、変形前に前記集塵カバーの内側を向いていた面が、変形後に前記集塵カバーの外側を向くように変形可能であってもよい。
【００２１】
上記の構成によれば、前記弾性カバー部が、変形前に前記集塵カバーの内側を向いていた面が、変形後に前記集塵カバーの外側を向くほど大きく変形可能であるため、変形後の弾性カバー部が作業の邪魔になることを防止することができる。
【００２２】
１つまたはそれ以上の実施形態において、前記弾性カバー部が、変形後に作用する弾性復元力によって変形後の形状が保持される形状まで変形可能であってもよい。
【００２３】
上記の構成によれば、変形後の弾性カバー部を、ユーザが手を離した後も変形後の形状のまま保持することができる。
【００２４】
１つまたはそれ以上の実施形態において、前記弾性カバー部は、変形後の形状を保持するための芯線を備えていてもよい。
【００２５】
上記の構成によれば、所望の形状に弾性変形させた弾性カバー部を、ユーザが手を離した後も変形後の形状のまま保持することができる。
【００２６】
（実施例１）
図１に示すように、本実施例の集塵カバー２は、グラインダ４に取り付けて使用される。グラインダ４は、ダイヤモンドカップ６（図２参照）の回転によって、コンクリート、ブロック、レンガ、石材等のワークの研削を行うことができる。なお、以下の説明では、グラインダ４の長手方向を前後方向といい、ダイヤモンドカップ６の回転軸方向を上下方向といい、前後方向と上下方向に直交する方向を左右方向という。
【００２７】
図２に示すように、グラインダ４は、本体ハウジング８と、ギヤハウジング１０と、ベアリングボックス１２を備えている。
【００２８】
本体ハウジング８の前方内部には、モータ１４が収容されている。モータ１４は、前後方向に伸びる出力軸１６を有している。出力軸１６は、ベアリング１８，２０を介して、本体ハウジング８に回転可能に支持されている。本体ハウジング８の後方内部には、電源回路２２が収容されている。電源回路２２には、外部の電源から電源コード２４を介して電力が供給される。電源回路２２は、ユーザがスイッチ（図示せず）をオンに操作すると、モータ１４に電力を供給し、ユーザがスイッチをオフに操作すると、モータ１４への電力の供給を停止する。モータ１４は、電源回路２２から供給される電力によって、出力軸１６を回転させる。
【００２９】
ギヤハウジング１０は、本体ハウジング８の前方に取り付けられている。ギヤハウジング１０の内部には、互いに噛み合うように配置された第１ベベルギヤ２８と第２ベベルギヤ３０が収容されている。第１ベベルギヤ２８は、出力軸１６の前方端部に固定されている。第２ベベルギヤ３０は、上下方向に伸びるスピンドル３２の上方端部に固定されている。以下では、第１ベベルギヤ２８と第２ベベルギヤ３０を総称して、単にベベルギヤ３４ともいう。ベベルギヤ３４は、モータ１４の回転を減速してスピンドル３２に伝達する減速機構であり、動力伝達機構ということができる。ギヤハウジング１０は、ベアリング３６を介して、スピンドル３２の上方端部を保持している。図１に示すように、ギヤハウジング１０の上面には、シャフトロック３８が設けられている。ユーザがシャフトロック３８を下方に押し込むと、第２ベベルギヤ３０の回転が禁止されて、スピンドル３２の回転が禁止される。
【００３０】
図２に示すように、ベアリングボックス１２は、ギヤハウジング１０の下方に取り付けられている。ベアリングボックス１２は、ベアリング４０，４２を介して、スピンドル３２を保持している。スピンドル３２は、上下方向に沿った回転軸に関して、ベアリングボックス１２に対して回転可能である。スピンドル３２の下方端部には、インナフランジ４４とアウタフランジ４６を介して、ダイヤモンドカップ６を取り付け可能である。インナフランジ４４は、スピンドル３２に嵌合されている。ダイヤモンドカップ６は、インナフランジ４４の下方からスピンドル３２に取り付けられて、インナフランジ４４に嵌合されている。アウタフランジ４６は、スピンドル３２の下方端部からスピンドル３２に螺着されて、インナフランジ４４との間でダイヤモンドカップ６を挟持する。グラインダ４において、モータ１４が回転すると、スピンドル３２とともにダイヤモンドカップ６が回転軸周りに回転することで、ワークの研削を行うことができる。スピンドル３２は、先端工具であるダイヤモンドカップ６を保持する先端工具保持部ということもできる。なお、以下の説明では、本体ハウジング８、ギヤハウジング１０およびベアリングボックス１２を総称して、単にハウジング４８ともいう。
【００３１】
集塵カバー２は、ベアリングボックス１２に形成された略円筒形状のカバー取り付け部５０に取り付けられている。集塵カバー２は、グラインダ４に取り付けられた時に、ダイヤモンドカップ６の周囲を覆う形状に形成されている。集塵カバー２は、ダイヤモンドカップ６がワークを研削する際に、周囲に切削粉が飛び散ることを防止するとともに、切削粉を集塵機（図示せず）によって収集するために使用される。
【００３２】
図３に示すように、集塵カバー２は、ベース５２と、カバー本体５４と、ノズル５６とを備えている。
【００３３】
ベース５２は、バンド５８と、ベースプレート６０を備えている。バンド５８は、帯状の平板を円筒形状に湾曲させた湾曲部５８ａと、湾曲部５８ａの両端から外側に向けて伸びる一対の平板部５８ｂと、一対の平板部５８ｂの間隔を調整する締結具５８ｃを備えている。ベースプレート６０は、略円形状の開口部６０ａを有する平板部６０ｂと、開口部６０ａの縁に沿って上方に屈曲する半円筒形状の半円筒部６０ｃを備えている。バンド５８とベースプレート６０は、半円筒部６０ｃの外周面と湾曲部５８ａの内周面を溶接することによって、互いに固定されている。集塵カバー２は、締結具５８ｃを緩めてバンド５８を拡径させた状態で、バンド５８をベアリングボックス１２のカバー取り付け部５０の外周面に取り付け、その後に締結具５８ｃを締めてバンド５８を縮径させることで、ベアリングボックス１２に対して固定される。
【００３４】
カバー本体５４は、硬質カバー部６２と、弾性カバー部６４と、カバー開閉機構６６と、カバー係止機構７２を備えている。硬質カバー部６２は、例えば硬質樹脂材料からなる。硬質カバー部６２は、ベース５２の下方に配置されている。硬質カバー部６２は、締結具６８を介して、ベース５２のベースプレート６０に固定されている。弾性カバー部６４は、硬質カバー部６２の前方に配置されている。弾性カバー部６４は、例えばゴム等の弾性樹脂材料からなる。弾性カバー部６４は、カバー開閉機構６６を介して、硬質カバー部６２に連結されている。硬質カバー部６２と弾性カバー部６４は、互いに組み合わされた時に皿型の形状となるように形成されている。硬質カバー部６２の外縁下方には、集塵ブラシ７０が設けられている。グラインダ４によってワークを研削する際には、硬質カバー部６２と、弾性カバー部６４と、集塵ブラシ７０によって、ダイヤモンドカップ６の周囲が覆われる。なお、硬質カバー部６２には、ノズル５６が一体的に形成されている。ノズル５６の内部の空間は、硬質カバー部６２の内側の空間と連通している。ノズル５６には、集塵機（図示せず）から伸びるホース（図示せず）を取り付けることができる。
【００３５】
カバー開閉機構６６は、上下方向に沿った回動軸を備えるヒンジ機構である。カバー開閉機構６６は、硬質カバー部６２の前方左方の端部と、弾性カバー部６４の後方左方の端部を、相対的に回動可能に連結している。すなわち、カバー開閉機構６６はスピンドル３２の回転軸に対して略平行な回動軸周りに回動可能に、弾性カバー部６４と硬質カバー部６２を連結している。
【００３６】
図１に示すように、カバー係止機構７２は、硬質カバー部６２の前方右方の端部に取り付けられた磁石７４と、弾性カバー部６４の後方右方の端部に取り付けられた磁性体７６を備えている。カバー係止機構７２は、磁石７４と磁性体７６の間の磁気吸着力によって、弾性カバー部６４を硬質カバー部６２に対して閉じた状態で保持する。なお、カバー係止機構７２は、磁石７４と磁性体７６の代わりに、硬質カバー部６２の前方右方の端部に形成された被係合部（図示せず）と、弾性カバー部６４の後方右方の端部に形成された係合部（図示せず）を係合させることで、弾性カバー部６４を硬質カバー部６２に対して閉じた状態で保持する構成としてもよい。
【００３７】
図３に示すように、弾性カバー部６４が硬質カバー部６２に対して閉じた状態でも、例えば、弾性カバー部６４をわずかに弾性変形させることで、ダイヤモンドカップ６をわずかに露出させて、ダイヤモンドカップ６やワークを視認しながら作業を行うことができる。
【００３８】
図４に示すように、弾性カバー部６４を硬質カバー部６２に対して開く方向に回動させると、硬質カバー部６２によって覆われていたダイヤモンドカップ６の一部が、集塵カバー２から露出する。これによって、大きく露出したダイヤモンドカップ６を利用して、ワークの研削作業を行うことができる。図４に示す状態では、開いた状態の弾性カバー部６４が壁面等の障害物にぶつかった場合でも、弾性カバー部６４が弾性変形するので、ユーザは、弾性カバー部６４と障害物との干渉を気にすること無く研削作業を行うことができる。また、弾性カバー部６４が壁面等の障害物にぶつかった場合でも、障害物を損傷してしまうことを防止することができる。
【００３９】
図５に示すように、弾性カバー部６４を硬質カバー部６２に対して完全に開いた状態とし、硬質カバー部６２の外形形状に倣うように弾性カバー部６４を弾性変形させると、変形後に作用する弾性復元力によって、弾性カバー部６４は図５の状態で保持される。図５に示す状態では、開いた状態の弾性カバー部６４が作業の邪魔になることがない。
【００４０】
（実施例２）
本実施例の集塵カバー１０２は、実施例１の集塵カバー２と同様に、グラインダ４に取り付けて使用される。本実施例の集塵カバー１０２は、実施例１の集塵カバー２とほぼ同様の構成を備えている。以下では本実施例の集塵カバー１０２について、実施例１の集塵カバー２と相違する点のみについて詳細に説明する。
【００４１】
図６に示すように、本実施例の集塵カバー１０２は、実施例１のカバー開閉機構６６、カバー係止機構７２を備えておらず、弾性カバー部６４は硬質カバー部６２と一体成型されている。なお、弾性カバー部６４は、硬質カバー部６２とは別体で成形した後に、例えば締結具（図示せず）を介して硬質カバー部６２に固定されていてもよい。弾性カバー部６４の上面は、硬質カバー部６２の上面と接続されており、弾性カバー部６４の左右方向の端面は、硬質カバー部６２の左右方向の端面から切り離されている。
【００４２】
本実施例の集塵カバー１０２では、弾性カバー部６４は、左右方向に伸びる折り曲げ線６４ａに沿って折り曲げ可能である。折り曲げ線６４ａは、例えば弾性カバー部６４と硬質カバー部６２の境界線である。弾性カバー部６４を硬質カバー部６２に対して開く方向に弾性変形させると、図７に示すように、弾性カバー部６４が捲り上がる。図７に示す状態では、弾性カバー部６４によって覆われていたダイヤモンドカップ６の一部が、集塵カバー１０２から露出する。これによって、露出したダイヤモンドカップ６を利用して、ワークの研削作業を行うことができる。なお、図７に示すように、弾性カバー部６４を大きく捲り上げた状態では、弾性カバー部６４は、変形後に作用する弾性復元力によって変形後の形状が保持される。このため、変形後の弾性カバー部６４を、ユーザが手を離した後も変形後の形状のまま保持することができる。
【００４３】
図８に示すように、弾性カバー部６４は、変形後の形状を保持するための芯線１０４を備えていてもよい。芯線１０４は、例えば金属製の線材である。芯線１０４は弾性カバー部６４の弾性樹脂材料と、例えば射出成形によって一体的に形成されている。このような構成とすることによって、例えば図７に示すように弾性カバー部６４を変形させた時に、弾性カバー部６４を変形後の形状のまま保持することができる。なお、実施例１の集塵カバー２の弾性カバー部６４に、本実施例の集塵カバー１０２の弾性カバー部６４のような芯線１０４を設けてもよい。
【００４４】
なお、本実施例の集塵カバー１０２において、実施例１の集塵カバー２と同様のカバー係止機構７２を設けてもよい。具体的には、本実施例の集塵カバー１０２において、硬質カバー部６２の前方左右の端部に磁石７４を取り付け、弾性カバー部６４の後方左右の端部に磁性体７６を取り付けてもよい。この場合、カバー係止機構７２は、磁石７４と磁性体７６の間の磁気吸着力によって、弾性カバー部６４を硬質カバー部６２に対して捲り上げられる前の状態で保持する。なお、カバー係止機構７２は、磁石７４と磁性体７６の代わりに、硬質カバー部６２の前方左右の端部に形成された被係合部（図示せず）と、弾性カバー部６４の後方左右の端部に形成された係合部（図示せず）を係合させることで、弾性カバー部６４を硬質カバー部６２に対して捲り上げられる前の状態で保持する構成としてもよい。
【００４５】
以上のように、１つまたはそれ以上の実施形態において、グラインダ４（電動工具の例）は、モータ１４と、モータ１４に接続されるベベルギヤ３４（動力伝達機構の例）と、モータ１４およびベベルギヤ３４を収容するハウジング４８と、ベベルギヤ３４に接続されており、ダイヤモンドカップ６（先端工具の例）を保持するスピンドル３２（先端工具保持部の例）と、ダイヤモンドカップ６の周囲を覆う集塵カバー２、１０２を備えている。集塵カバー２、１０２は、ハウジング４８に対して固定されており、ダイヤモンドカップ６の一部を覆う硬質カバー部６２と、硬質カバー部６２に連結されており、ダイヤモンドカップ６の別の一部を覆う弾性カバー部６４を備えている。
【００４６】
１つまたはそれ以上の実施形態において、集塵カバー２、１０２は、モータ１４と、モータ１４に接続されるベベルギヤ３４と、モータ１４およびベベルギヤ３４を収容するハウジング４８と、ベベルギヤ３４に接続されており、ダイヤモンドカップ６を保持するスピンドル３２を備えるグラインダ４に、ダイヤモンドカップ６の周囲を覆うように取り付けられる。集塵カバー２、１０２は、ハウジング４８に対して固定されており、ダイヤモンドカップ６の一部を覆う硬質カバー部６２と、硬質カバー部６２に連結されており、ダイヤモンドカップ６の別の一部を覆う弾性カバー部６４を備えている。
【００４７】
上記のグラインダ４や、上記の集塵カバー２、１０２によれば、弾性カバー部６４を弾性変形させることで、ダイヤモンドカップ６を集塵カバー２、１０２から部分的に露出させることができる。上記のグラインダ４や、上記の集塵カバー２、１０２によれば、弾性カバー部６４をわずかに弾性変形させることで、ダイヤモンドカップ６を集塵カバー２、１０２からわずかに露出させた状態で、作業を行うことができる。集塵性をそれほど損なうことなく、ダイヤモンドカップ６を集塵カバー２、１０２からわずかに露出させた状態で作業を行うことができる。
【００４８】
１つまたはそれ以上の実施形態において、弾性カバー部６４は、硬質カバー部６２に対してカバー開閉機構６６（ヒンジ機構の例）を介して連結されている。
【００４９】
上記の構成によれば、弾性カバー部６４を硬質カバー部６２に対して回動させることで、ダイヤモンドカップ６を集塵カバー２から大きく露出させることもできるし、弾性カバー部６４を弾性変形させることで、ダイヤモンドカップ６を集塵カバー２からわずかに露出させることもできる。また、上記の構成によれば、弾性カバー部６４を硬質カバー部６２に対して回動させて開いた状態において、弾性カバー部６４が壁面等の障害物に干渉する場合であっても、弾性カバー部６４が弾性変形するので、開いた弾性カバー部６４が作業の邪魔になることを防止することができる。
【００５０】
１つまたはそれ以上の実施形態において、スピンドル３２は、ハウジング４８に対して回転軸周りに回転可能である。カバー開閉機構６６は、スピンドル３２の回転軸に対して略平行な回動軸周りに回動可能に、弾性カバー部６４を硬質カバー部６２に連結している。
【００５１】
上記の構成によれば、弾性カバー部６４を硬質カバー部６２に対して回動させることで、ダイヤモンドカップ６を集塵カバー２から大きく露出させることができる。また、上記の構成によれば、弾性カバー部６４を硬質カバー部６２に対して完全に開いた状態において、硬質カバー部６２の外形形状に倣うように弾性カバー部６４を弾性変形させることで、弾性カバー部６４を完全に開いた状態で保持することができる。
【００５２】
１つまたはそれ以上の実施形態において、スピンドル３２は、ハウジング４８に対して回転軸周りに回転可能である。弾性カバー部６４は、スピンドル３２の回転軸に略直交する方向に沿った折り曲げ線６４ａに沿って、硬質カバー部６２に対して変形可能である。
【００５３】
上記の構成によれば、弾性カバー部６４を捲り上げるように弾性変形させることで、ダイヤモンドカップ６を集塵カバー１０２から露出させることができる。
【００５４】
１つまたはそれ以上の実施形態において、弾性カバー部６４および硬質カバー部６２の一方に、磁石７４が設けられている。弾性カバー部６４および硬質カバー部６２の他方に、磁性体７６が設けられている。弾性カバー部６４は、磁石７４と磁性体７６の間の磁気吸着力によって、ダイヤモンドカップ６の別の一部を覆う状態で保持されている。
【００５５】
上記の構成によれば、磁石７４と磁性体７６の間の磁気吸着力によって、弾性カバー部６４を、ダイヤモンドカップ６の別の一部を覆う状態で保持しておくことができる。ダイヤモンドカップ６が集塵カバー２、１０２から不用意に露出してしまうことを防止することができる。
【００５６】
１つまたはそれ以上の実施形態において、弾性カバー部６４は、変形前に集塵カバー２、１０２の内側を向いていた面が、変形後に集塵カバー２、１０２の外側を向くように変形可能である。
【００５７】
上記の構成によれば、弾性カバー部６４が、変形前に集塵カバー２、１０２の内側を向いていた面が、変形後に集塵カバー２、１０２の外側を向くほど大きく変形可能であるため、変形後の弾性カバー部６４が作業の邪魔になることを防止することができる。
【００５８】
１つまたはそれ以上の実施形態において、弾性カバー部６４は、変形後に作用する弾性復元力によって変形後の形状が保持される形状まで変形可能である。
【００５９】
上記の構成によれば、変形後の弾性カバー部６４を、ユーザが手を離した後も変形後の形状のまま保持することができる。
【００６０】
１つまたはそれ以上の実施形態において、弾性カバー部６４は、変形後の形状を保持するための芯線１０４を備えていてもよい。
【００６１】
上記の構成によれば、所望の形状に弾性変形させた弾性カバー部６４を、ユーザが手を離した後も変形後の形状のまま保持することができる。
【００６２】
上記の各実施例では、電動工具がグラインダ４であり、先端工具がダイヤモンドカップ６であり、先端工具保持部がスピンドル３２である場合を例として説明したが、電動工具は他の種類の電動工具であってもよいし、先端工具は他の種類の先端工具であってもよいし、先端工具保持部は他の種類の先端工具保持部であってもよい。
【００６３】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００６４】
２      ：集塵カバー
４      ：グラインダ
６      ：ダイヤモンドカップ
８      ：本体ハウジング
１０    ：ギヤハウジング
１２    ：ベアリングボックス
１４    ：モータ
１６    ：出力軸
１８    ：ベアリング
２０    ：ベアリング
２２    ：電源回路
２４    ：電源コード
２８    ：第１ベベルギヤ
３０    ：第２ベベルギヤ
３２    ：スピンドル
３４    ：ベベルギヤ
３６    ：ベアリング
３８    ：シャフトロック
４０    ：ベアリング
４２    ：ベアリング
４４    ：インナフランジ
４６    ：アウタフランジ
４８    ：ハウジング
５０    ：カバー取り付け部
５２    ：ベース
５４    ：カバー本体
５６    ：ノズル
５８    ：バンド
５８ａ  ：湾曲部
５８ｂ  ：平板部
５８ｃ  ：締結具
６０    ：ベースプレート
６０ａ  ：開口部
６０ｂ  ：平板部
６０ｃ  ：半円筒部
６２    ：硬質カバー部
６４    ：弾性カバー部
６４ａ  ：折り曲げ線
６６    ：カバー開閉機構
６８    ：締結具
７０    ：集塵ブラシ
７２    ：カバー係止機構
７４    ：磁石
７６    ：磁性体
１０２  ：集塵カバー
１０４  ：芯線
【図１】
2019181618.tif 000003
【図２】
2019181618.tif 000004
【図３】
2019181618.tif 000005
【図４】
2019181618.tif 000006
【図５】
2019181618.tif 000007
【図６】
2019181618.tif 000008
【図７】
2019181618.tif 000009
【図８】
2019181618.tif 000010